(57)【特許請求の範囲】
【請求項１】
互いに離隔的に筐体内に収納配設された複数の発光体と、互いに離隔的に、かつ全体として線状に前記筐体に設けられ、前記各発光体から射出される光を外部に漏出させるための複数の窓と、前記複数の発光体の点滅を制御する発光体駆動制御部とを備え、前記窓の個数Ｍが、前記発光体の個数Ｎよりも多く設けられていると共に、前記Ｎ個の発光体は、前記Ｍ個の窓のうち、互いに隣接しないＮ個の前記窓と対応して配設されている携帯端末であって、
前記発光体駆動制御部は、
前記各発光体の輝度を、時間軸に沿って、オフ期間→輝度漸次増加期間→輝度ピーク期間→輝度漸次減少期間からなる所定の周期で繰り返し制御すると共に、輝度ピークを、一方側の前記発光体から他方側の前記発光体に向けて、所定の時間間隔で順次ずらして行く制御を行うことにより、前記各窓から漏出する光が、あたかも、前記複数の窓の一方側から他方側に向かって流れているかのように、演出して見せる構成とされていることを特徴とする携帯端末。
【請求項２】
前記各発光体は、前記複数の窓の一方側の端から数えて、奇数番目の窓と１対１に対応して配設されていることを特徴とする請求項１記載の携帯端末。
【請求項３】
前記各発光体は、前記複数の窓の一方側の端から数えて、偶数番目の窓と１対１に対応して配設されていることを特徴とする請求項１記載の携帯端末。
【請求項４】
前記発光体駆動制御部は、
当該発光体が輝度ピークに達したとき、当該発光体の次に発光させる発光体の輝度の増加を開始する構成とされていることを特徴とする請求項１記載の携帯端末。
【請求項５】
前記各発光体は、
赤色発光素子、緑色発光素子及び青色発光素子からなり、赤，緑，青の少なくとも１つを選択的に発光可能な３色発光素子で構成され、
前記発光体駆動制御部は、
前記赤色発光素子、緑色発光素子又は青色発光素子から少なくとも１つを選択して、それぞれの輝度を制御する構成とされていることを特徴とする請求項１又は４記載の携帯端末。
【請求項６】
前記各発光体は、
発光ダイオードで構成されていることを特徴とする請求項１乃至５のいずれか一に記載の携帯端末。
【請求項７】
互いに離隔的に筐体内に収納配設された複数の発光体と、互いに離隔的に、かつ全体として線状に前記筐体に設けられ、前記各発光体から射出される光を外部に漏出させるための複数の窓と、前記複数の発光体の点滅を制御する発光体駆動制御部とを備え、前記窓の個数Ｍが、前記発光体の個数Ｎよりも多く設けられていると共に、前記Ｎ個の発光体は、前記Ｍ個の窓のうち、互いに隣接しないＮ個の前記窓と対応して配設されている携帯端末に用いられる発光体駆動制御方法であって、
前記発光体駆動制御部に、
前記各発光体の輝度を、時間軸に沿って、オフ期間→輝度漸次増加期間→輝度ピーク期間→輝度漸次減少期間からなる所定の周期で繰り返し制御させると共に、輝度ピークを、一方側の前記発光体から他方側の前記発光体に向けて、所定の時間間隔で順次ずらして行く制御を行わせることにより、前記各窓から漏出する光が、あたかも、前記複数の窓の一方側から他方側に向かって流れているかのように、演出して見せることを特徴とする発光体駆動制御方法。
【請求項８】
前記各発光体を、前記複数の窓の一方側の端から数えて、奇数番目の窓と１対１に対応させて配設することを特徴とする請求項７記載の発光体駆動制御方法。
【請求項９】
前記各発光体を、前記複数の窓の一方側の端から数えて、偶数番目の窓と１対１に対応させて配設することを特徴とする請求項７記載の発光体駆動制御方法。
【請求項１０】
前記発光体駆動制御部に、
当該発光体が輝度ピークに達したとき、当該発光体の次に発光させる発光体の輝度の増加を開始させることを特徴とする請求項７記載の発光体駆動制御方法。
【請求項１１】
前記各発光体を、赤色発光素子、緑色発光素子及び青色発光素子からなり、赤，緑，青の少なくとも１つを選択的に発光可能な３色発光素子で構成し、
前記発光体駆動制御部に、
前記赤色発光素子、緑色発光素子又は青色発光素子から少なくとも１つを選択して、それぞれの輝度を制御させることを特徴とする請求項７又は１０記載の発光体駆動制御方法。
【請求項１２】
コンピュータを請求項１乃至６のいずれか一に記載の携帯端末として機能させることを特徴とする発光体駆動制御プログラム。
【発明の詳細な説明】
【技術分野】
【０００１】
この発明は、携帯端末、該携帯端末に用いられる発光体駆動制御方法及び発光体駆動制御プログラムに係り、特に、携帯電話機などのように、動作している状態であることを表示することにより利便性が向上する携帯端末、該携帯端末に用いられる発光体駆動制御方法及び発光体駆動制御プログラムに関する。
【背景技術】
【０００２】
携帯電話機などの携帯端末では、動作中に内部の発光体の光を窓を経て外部に漏出させて光の流れを演出する構成のものが製作されている。
【０００３】
図１３及び図１４は、この種の携帯電話機の筐体が折り畳み型に構成されている場合の開状態を示す外観図であり、同図１３は正面図、及び同図１４が背面図である。
この携帯電話機１０は、図１３に示すように、上部筐体１１と、下部筐体１２と、ヒンジ部１３とを備え、上部筐体１１の前面と下部筐体１２の前面とが向かい合う態様でヒンジ部１３を介して折り畳まれるように構成されている。上部筐体１１は、外側カバーケースと内側カバーケースとが嵌合されて構成され、また、上部にアンテナ２１が設けられ、同内側カバーケースにレシーバ２２及びＬＣＤ表示部２３が設けられている。下部筐体１２は、外側カバーケースと内側カバーケースとが嵌合されて構成され、同内側カバーケースに操作部２４及びマイク２５が設けられている。また、図１４に示すように、上部筐体１１では、外側カバーケースに窓３１，３２，３３が設けられている。窓３１，３２，３３は、たとえば透明の樹脂やガラスなどで構成され、上部筐体１１の内部に上記窓３１，３２，３３に１対１に対応して設けられた図示しない発光体（たとえば、ＬＥＤ、Light Emitting Diode、発光ダイオード）の光を外部に漏出する。この携帯電話機１０では、たとえば発呼又は着呼動作しているとき、窓３１，３２，３３に対応したＬＥＤが１個ずつ順次繰り返し点灯する。このため、ユーザには、窓３１，３２，３３から漏出される光が一方から他方に流れるように見え、光の流れが演出される。
【０００４】
上記の携帯電話機の他、従来、この種の技術としては、たとえば、特許文献１に記載されたものがある。
特許文献１に記載されたＬＥＤ表示装置では、ＰＷＭ（Pulse Width Modulation）制御ＩＣにより、一定繰り返し周期のパルスを用いて、ＬＥＤＲ（赤色ＬＥＤ）、ＬＥＤＧ（緑色ＬＥＤ）及びＬＥＤＢ（青色ＬＥＤ）が駆動される。この場合、ＣＰＵによりＰＷＭ制御ＩＣが制御され、上記パルスのデューティ比が段階的に増加した後、一定時間最大デューティ比が保持され、あるいは同パルスのデューティ比が段階的に減少した後、一定時間最小デューティ比が保持される。これにより、ＬＥＤＲ、ＬＥＤＧ及びＬＥＤＢは、徐々に明るくなり、あるいは徐々に暗くなる。
【特許文献１】特開２００４−２０７４１１号公報（要約書、図３）
【発明の開示】
【発明が解決しようとする課題】
【０００５】
しかしながら、上記従来の携帯電話機では、次のような問題点があった。
すなわち、図１４中の窓３１，３２，３３に対応したＬＥＤが１個ずつ順次繰り返し点灯するためには、窓３１，３２，３３と同数のＬＥＤを設ける必要がある。このため、部品点数及び消費電流の低減が困難になるという問題点がある。
【０００６】
また、特許文献１に記載されたＬＥＤ表示装置は、ＬＥＤＲ、ＬＥＤＧ及びＬＥＤＢの光を流れるように見せる機能はなく、また、部品点数を低減するものではないため、上記の問題点は、改善されない。
【０００７】
この発明は、上述の事情に鑑みてなされたもので、部品点数及び消費電流の低減を図りつつ、複数の窓から漏出する光が一方から他方に流れるように見える携帯端末、該携帯端末に用いられる発光体駆動制御方法及び発光体駆動制御プログラムを提供することを目的としている。
【課題を解決するための手段】
【０００８】
上記課題を解決するために、この発明の第１の構成は、互いに離隔的に筐体内に収納配設された複数の発光体と、互いに離隔的に、かつ全体として線状に前記筐体に設けられ、前記各発光体から射出される光を外部に漏出させるための複数の窓と、前記複数の発光体の点滅を制御する発光体駆動制御部とを備え、前記窓の個数Ｍが、前記発光体の個数Ｎよりも多く設けられていると共に、前記Ｎ個の発光体は、前記Ｍ個の窓のうち、互いに隣接しないＮ個の前記窓と対応して配設されている携帯端末に係り、前記発光体駆動制御部が、前記各発光体の輝度を、時間軸に沿って、オフ期間→輝度漸次増加期間→輝度ピーク期間→輝度漸次減少期間からなる所定の周期で繰り返し制御すると共に、輝度ピークを、一方側の前記発光体から他方側の前記発光体に向けて、所定の時間間隔で順次ずらして行く制御を行うことにより、前記各窓から漏出する光が、あたかも、前記複数の窓の一方側から他方側に向かって流れているかのように、演出して見せる構成とされていることを特徴としている。
【０００９】
また、この発明の第２の構成は、互いに離隔的に筐体内に収納配設された複数の発光体と、互いに離隔的に、かつ全体として線状に前記筐体に設けられ、前記各発光体から射出される光を外部に漏出させるための複数の窓と、前記複数の発光体の点滅を制御する発光体駆動制御部とを備え、前記窓の個数Ｍが、前記発光体の個数Ｎよりも多く設けられていると共に、前記Ｎ個の発光体は、前記Ｍ個の窓のうち、互いに隣接しないＮ個の前記窓と対応して配設されている携帯端末に用いられる発光体駆動制御方法に係り、前記発光体駆動制御部に、前記各発光体の輝度を、時間軸に沿って、オフ期間→輝度漸次増加期間→輝度ピーク期間→輝度漸次減少期間からなる所定の周期で繰り返し制御させると共に、輝度ピークを、一方側の前記発光体から他方側の前記発光体に向けて、所定の時間間隔で順次ずらして行く制御を行わせることにより、前記各窓から漏出する光が、あたかも、前記複数の窓の一方側から他方側に向かって流れているかのように、演出して見せることを特徴としている。
【発明の効果】
【００２６】
この発明の構成によれば、各発光体から射出される光を外部に漏出させるための窓の個数が同各発光体の個数よりも多く設けられているので、部品点数を削減した状態で発光体駆動制御部により同各発光体が制御され、かつ消費電流を低減できる。また、発光体駆動制御部により、各発光体のオン状態／オフ状態及び輝度が制御されると共に、輝度ピークを、一端側の同発光体から他端側の同発光体に向けて、所定の時間間隔で順次ずらして行く制御が行われるので、各発光体の輝度を制御するのみで、複数の窓から漏出する光が一方から他方に流れるように演出して見せることができると共に、外から見たときの発光点である窓の数よりも発光体の数を少なくできる。このため、部品点数を削減でき、かつ消費電流を低減できる。
【発明を実施するための最良の形態】
【００２７】
複数の窓が発光体の数よりも多く設けられ、かつ、近傍に同発光体が配設されている窓と配設されていない窓とが交互に直線的に配列され、各発光体の輝度が互いに異なる位相かつ所定の周期で繰り返し増減される携帯端末、該携帯端末に用いられる発光体駆動制御方法及び発光体駆動制御プログラムを提供する。
【実施例１】
【００２８】
図１は、この発明の第１の実施例である携帯端末の要部の電気的構成を示すブロック図である。
この例の携帯端末は、同図に示すように、携帯電話機４０であり、アンテナ４１と、無線部４２と、音声処理部４３と、レシーバ４４と、マイク４５と、操作部４６と、ＬＣＤ表示部４７と、発光部４８と、窓部４９と、制御部５０とから構成されている。この携帯電話機４０は、制御部５０の制御により、無線部４２及びアンテナ４１を介して図示しない無線基地局との間で電波ｗを送受信する。無線基地局は、図示しない移動通信制御局、在圏移動通信交換局及び関門移動通信交換局を介して一般電話回線網に接続されている。無線部４２は、図示しない受信回路、送信回路及び周波数シンセサイザなどを有し、アンテナ４１で受信した電波ｗから受信したい信号周波数を選択し、周波数変換、増幅、及び復調して受信データを生成し、制御部５０へ送出する。
【００２９】
制御部５０は、無線部４２の受信データから音声信号を抽出して音声処理部４３へ送出し、同音声処理部４３は、同音声信号をデジタル／アナログ変換してレシーバ４４から音声を出力する。レシーバ４４は、着メロや通話時の音声など、各種の情報に対応した音声を発生する。また、マイク４５から入力された音声は、音声処理部４３でアナログ／デジタル変換され、制御部４０は、その信号を送信データに変換し、無線部４２で変調して所定の周波数の搬送波として増幅し、アンテナ４１から送信する。操作部４６は、送信キー、英字／カナ／漢字／数字の変換キー、電源のオン／オフキー、カーソル操作を行うための十文字キー、及び終了キーなどから構成されている。制御部５０は、操作部４６を監視し、ユーザの操作を判断して操作に基づく処理を行う。ＬＣＤ表示部４７は、制御部５０の制御により各種表示を行い、たとえば、通常の音声通話時では、相手先の電話番号情報やアイコン情報など、諸々の情報を表示する。
【００３０】
この図１では、窓部４９が設けられた筐体４９ｂの一部の断面が表示され、発光部４８は、同筐体４９ｂの内部に互いに離隔的に収納配設されたＬＥＤ４８1 ，４８2 を有している。窓部４９は、互いに離隔的かつ列状に筐体４９ｂに配列されている窓４９1 ，４９2 ，４９3 を有し、ＬＥＤ４８1 ，４８2 から射出される光ｐ1 ，ｐ2 を同筐体４９ｂの外部に漏出させる。特に、この実施例では、奇数番目の窓４９1 ，４９3 の近傍にＬＥＤ４８1 ，４８2 が１対１に対応して配設され、窓４９2 の近傍にはＬＥＤが配設されていない。なお、筐体４９ｂは、たとえば、従来の図１３及び図１４と同様に、折り畳み型で構成され、上部筐体の外側カバーケースに対応している。制御部５０は、この携帯電話機４０全体を制御するコンピュータとしてのＣＰＵ（中央処理装置）５０ａ及び同ＣＰＵ５０ａを動作させるための発光体駆動制御プログラムが記録されたＲＯＭ（リード・オンリ・メモリ）５０ｂを有している。
【００３１】
特に、この実施例では、制御部５０は、ＬＥＤ４８1 ，４８2 に印加する電圧パルスのパルス幅を輝度に対応した時間幅に制御（すなわち、ＰＷＭ制御）することにより、ＬＥＤ４８1 ，４８2 のオン状態／オフ状態及び輝度を制御すると共に、輝度ピークを、一端側の同ＬＥＤ４８1 から他端側の同ＬＥＤ４８2 に向けて、所定の時間間隔で順次ずらして行く制御を行うことにより、窓４９1 ，４９2 ，４９3 から漏出する光が、あたかも、これらの窓４９1 ，４９2 ，４９3 の一端側から他端側に向かって流れているかのように、演出して見せる。この場合、制御部５０は、ＬＥＤ４８1 ，４８2 の輝度を、時間軸に沿って、オフ期間→輝度漸次増加期間→輝度ピーク期間→輝度漸次減少期間からなる所定の周期で繰り返し制御し、ＬＥＤ４８1 の輝度が最大値に達したとき、同ＬＥＤ４８1 次に発光させるＬＥＤ４８2 の輝度の増加を開始する。
【００３２】
図２は、制御部５０がＬＥＤ４８1 ，４８2 の輝度を制御する動作を説明する図、図３は、制御部５０がＬＥＤ４８1 ，４８2 の輝度を制御するときのＰＷＭ値を示す図、図４及び図５は、制御部５０の動作を説明するフローチャート、及び図６が、窓４９1 ，４９2 ，４９3 の光量の変化を示す模式図である。
これらの図を参照して、この例の携帯電話機４０に用いられる発光体駆動制御方法の処理内容について説明する。
この携帯電話機４０では、制御部５０により、ＬＥＤ４８1 ，４８2 に印加する電圧パルスのパルス幅が輝度に対応した時間幅に制御され、ＬＥＤ４８1 ，４８2 のオン状態／オフ状態及び輝度が制御されると共に、輝度ピークが、一端側の同ＬＥＤ４８1 から他端側の同ＬＥＤ４８2 に向けて、所定の時間間隔で順次ずらして行く制御が行われる。
【００３３】
すなわち、ＬＥＤ４８1 ，４８2 の輝度の制御では、図２に示すように、それぞれの１周期が期間１、期間２、期間３及び期間４で構成され、同ＬＥＤ４８2 に対する制御は、同ＬＥＤ４８1 よりも所定の遅延時間（Ｄｅｌａｙ）遅れて開始される。各期間１では、所定時間単位Ｔｉｍｅｒ１＿１（＝Ｔｉｍｅｒ１＿２，…，Ｔｉｍｅｒ１＿ｎ）（ｎ；自然数）で、図３（ａ）に示すフェードインテーブル１中のＮｏ．ＸＸ１乃至Ｎｏ．ＸＸｎに対応する各ＰＷＭ値が設定される。この場合、ＰＷＭ値は、ＬＥＤ４８1 ，４８2 の点灯に同期して、Ｎｏ．ＸＸ１（ＰＷＭ値；１０％）から段階的にＮｏ．ＸＸｎ（ＰＷＭ値；９０％）まで設定され、ＬＥＤ４８1 ，４８2 の輝度が最小値から最大値まで漸次増加する。各期間２では、ＬＥＤ４８1 ，４８2 の輝度が期間時間（ＴｉｍｅｒＮ）最大値に保持される。
【００３４】
また、各期間３では、所定時間単位Ｔｉｍｅｒ１＿１（＝Ｔｉｍｅｒ１＿２，…，Ｔｉｍｅｒ１＿ｎ）で、図３（ｂ）に示すフェードアウトテーブル１中のＮｏ．ＹＹ１乃至Ｎｏ．ＹＹｎに対応する各ＰＷＭ値が設定される。この場合、ＰＷＭ値は、ＬＥＤ４８1 ，４８2 の点灯に同期して、Ｎｏ．ＹＹ１（ＰＷＭ値；９０％）から段階的にＮｏ．ＹＹｎ（ＰＷＭ値；１０％）まで設定され、ＬＥＤ４８1 ，４８2 の輝度が最大値から最小値まで漸次減少する。各期間４では、ＬＥＤ４８1 ，４８2 の輝度が期間時間（ＴｉｍｅｒＮ）最小値に保持される。この後、ＬＥＤ４８1 ，４８2 に対して、同様の制御が１周期毎に繰り返される。
【００３５】
この場合、制御部５０では、図４に示すように、たとえば、ユーザが通話する操作を行ったときや、携帯電話機４０が着呼動作を行うときなど、発光部４８を点灯する要求があったとき、期間１における制御が開始される（ステップＡ１）。期間１では、所定時間（Ｔｉｍｅｒ１）毎にフェードインテーブル１のＰＷＭ値を設定する動作が所定時間（ＴｉｍｅｒＮ）まで繰り返される。すなわち、ステップＡ２でＴｉｍｅｒＮがスタートし、ステップＡ３でフェードインテーブル１の参照用の変数ｉが初期化され、ステップＡ４でＴｉｍｅｒ１がスタートし、ステップＡ５でフェードインテーブル１のＰＷＭ値が設定される。ステップＡ６でＴｉｍｅｒ１がタイムアウト（時間切れ）したら、ステップＡ７でＴｉｍｅｒＮがタイムアウトするまで、ステップＡ８で変数ｉが“１”だけインクリメントされる。上記ステップＡ７でＴｉｍｅｒＮがタイムアウトした場合、期間２に進む。
【００３６】
期間２では、ステップＡ９でＴｉｍｅｒＮがスタートした後、ステップＡ１０でＴｉｍｅｒＮがタイムアウトするまで、期間１での最後のＰＷＭ値が保持される。ステップＡ１１でＴｉｍｅｒＮがタイムアウトした場合、期間３に進む。
【００３７】
期間３では、図５に示すように、所定時間（Ｔｉｍｅｒ１）毎にフェードアウトテーブル１のＰＷＭ値を設定する動作が所定時間（ＴｉｍｅｒＮ）まで繰り返される。すなわち、ステップＡ１１でＴｉｍｅｒＮがスタートし、ステップＡ１２でフェードアウトテーブル１の参照用の変数ｉが初期化され、ステップＡ１３でＴｉｍｅｒ１がスタートされ、ステップＡ１４でフェードアウトテーブル１のＰＷＭ値が設定される。ステップＡ１５でＴｉｍｅｒ１がタイムアウトしたら、ステップＡ１６でＴｉｍｅｒＮがタイムアウトするまで、ステップＡ１７で変数ｉがインクリメントされる。ステップＡ１６でＴｉｍｅｒＮがタイムアウトした場合、期間４に進む。
【００３８】
期間４では、ステップＡ１８でＴｉｍｅｒＮがスタートした後、ステップＡ１９でＴｉｍｅｒＮがタイムアウトするまで期間３での最後のＰＷＭ値が保持される。ステップＡ１９でＴｉｍｅｒＮがタイムアウトした場合、ステップＡ２０に進む。ステップＡ２０において、ユーザが通話を終了する操作を行ったときや、携帯電話機４０が着呼動作を終了するときなど、発光部４８の点灯を終了する要求があったとき、発光部４８の点灯が終了する。一方、ステップＡ２０において、発光部４８の点灯を終了する要求がない場合、ステップＡ２へ戻り、上記期間１乃至期間４における制御が繰り返される。
【００３９】
上記の制御により、図６に示すように、窓４９1 ，４９2 ，４９3 の光量が変化する。すなわち、ＬＥＤ４８1 は、輝度Ｑ１に示すように、漸次明るくなり、高輝度で一定時間明るくなった後、漸次暗くなる。ＬＥＤ４８2 は、ＬＥＤ４８1 に対して遅延時間（ｄｅｌａｙ）の後、すなわち同ＬＥＤ４８1 が高輝度に達したとき、輝度Ｑ３に示すように、ＬＥＤ４８1 と同様に輝度が変化する。このため、制御開始から状態１まで、ＬＥＤ４８2 が消灯したままＬＥＤ４８1 が漸次明るくなり、状態１から状態２まで、ＬＥＤ４８1 の明るさが維持されたままＬＥＤ４８2 が漸次明るくなる。状態２から状態３まで、ＬＥＤ４８2 の明るさが維持されたままＬＥＤ４８1 が漸次暗くなり、状態３から状態４まで、ＬＥＤ４８1 が消灯したままＬＥＤ４８2 が漸次暗くなる。状態４以降も、同様の制御が繰り返される。この結果、窓４９1 は、ＬＥＤ４８1 の輝度変化により、同ＬＥＤ４８1 の輝度Ｑ１に対応して光量が変化する。窓４９3 は、ＬＥＤ４８2 の輝度変化により、同ＬＥＤ４８2 の輝度Ｑ３に対応して光量が変化する。窓４９2 は、ＬＥＤ４８1 の輝度Ｑ１の変化及びＬＥＤ４８2 の輝度Ｑ３の変化に応じて、輝度Ｑ２のように光量が変化する。これにより、２つのＬＥＤ４８1 ，４８2 の輝度を制御するのみで、３つの窓４９1 ，４９2 ，４９3 から漏出する光が一方から他方に向かって流れるように見える。
【００４０】
以上のように、この第１の実施例では、窓４９1 ，４９2 ，４９3 がＬＥＤ４８1 ，４８2 の数よりも多く設けられ、かつ、近傍に同ＬＥＤ４８1 ，４８2 がそれぞれ配設されている窓４９1 ，４９3 と配設されていない窓４９2 とが交互に列状に設けられ、奇数番目の窓４９1 ，４９3 と１対１に対応して配設された上記ＬＥＤ４８1 ，４８2 のオン状態／オフ状態及び輝度が制御されると共に、輝度ピークが、一端側の同ＬＥＤ４８1 から他端側の同ＬＥＤ４８2 に向けて、所定の時間間隔で順次ずらして行く制御が行われるので、２つのＬＥＤ４８1 ，４８2 の輝度を制御するのみで、３つの窓４９1 ，４９2 ，４９3 から漏出する光が一方から他方に向かって流れるように見せて光の流れを演出することができると共に、外から見たときの発光点である窓４９1 ，４９2 ，４９3 の数よりも発光体であるＬＥＤ４８1 ，４８2 の数を少なくでき、部品点数が削減され、かつ消費電流が低減される。
【実施例２】
【００４１】
図７は、この発明の第２の実施例である携帯電話機の電気的構成を示すブロック図であり、第１の実施例を示す図１中の要素と共通の要素には共通の符号が付されている。
この例の携帯電話機４０Ａでは、同図７に示すように、図１中の発光部４８及び制御部５０に代えて、異なる構成の発光部４８Ａ及び異なる機能を有する制御部５０Ａが設けられている。発光部４８Ａでは、図１中のＬＥＤ４８1 ，４８2 に代えて、赤（Ｒ），緑（Ｇ），青（Ｂ）の少なくとも１つを選択的に発光可能な３色ＬＥＤ４８1 Ａ，４８2 Ａが設けられている。３色ＬＥＤ４８1 Ａ及び３色ＬＥＤ４８2 Ａは、それぞれ、赤色ＬＥＤ、緑色ＬＥＤ及び青色ＬＥＤが複合されて構成されている。制御部５０Ａは、制御部５０のＬＥＤ４８1 ，４８2 を制御する機能に代えて、３色ＬＥＤ４８1 Ａ，４８2 Ａの赤色ＬＥＤ，緑色ＬＥＤ，青色ＬＥＤから少なくとも１つのＬＥＤを選択して、それぞれの輝度を所定の周期で繰り返し増減する機能を有している。この場合、制御部５０Ａは、３色ＬＥＤ４８1 Ａ，４８2 Ａを構成する各赤色ＬＥＤ，各緑色ＬＥＤ，各青色ＬＥＤに印加する電圧パルスのパルス幅を輝度に対応した時間幅に制御（ＰＷＭ制御）することにより、互いに異なる位相かつ所定の周期で同３色ＬＥＤ４８1 Ａ，４８2 ＡのＲ，Ｇ，Ｂの輝度を最小値から最大値まで漸次増加させた後に同最大値から同最小値まで漸次減少させる。他は、図１と同様の構成である。
【００４２】
図８は、制御部５０ＡがＬＥＤ４８1 Ａの輝度を制御する動作を説明する図、図９は、制御部５０ＡがＬＥＤ４８2 Ａの輝度を制御する動作を説明する図、図１０は、制御部５０ＡがＬＥＤ４８1 Ａ，４８2 Ａの発光色を制御するときの各色のオン／オフ状態及び輝度を制御するときのＰＷＭ値を示す図、図１１及び図１２が、制御部５０Ａの動作を説明するフローチャートである。
これらの図を参照して、この例の携帯電話機４０Ａに用いられる出射光制御方法の処理内容について説明する。
この携帯電話機４０Ａでは、３色ＬＥＤ４８1 Ａ，４８2 Ａの赤色ＬＥＤ，緑色ＬＥＤ，青色ＬＥＤから少なくとも１つのＬＥＤが選択され、それぞれの輝度が所定の周期で繰り返し増減される。
【００４３】
まず、図１０（ａ）に示すように、３色ＬＥＤ４８1 Ａ，４８2 Ａの発光色を決定するためのＰＷＭ＿ＯＮ／ＯＦＦテーブルが設定されている。このＰＷＭ＿ＯＮ／ＯＦＦテーブルによれば、たとえば、Ｎｏ．１では、Ｂ（青）がオン（ＯＮ）状態となって、３色ＬＥＤ４８1 Ａ，４８2 Ａが青色（Ｂ）で点灯する。また、Ｎｏ．５では、赤（Ｒ）及び青（Ｂ）がオン状態となり、赤と青との加法混色によって３色ＬＥＤ４８1 Ａ，４８2 Ａが紫色で点灯する。また、図１０（ｂ）に示すように、３色ＬＥＤ４８1 Ａ，４８2 Ａのフェードイン時にＲ，Ｇ，Ｂ毎にＰＷＭ値を決定するためのフェードインテーブル２が設定されている。また、図１０（ｃ）に示すように、３色ＬＥＤ４８1 Ａ，４８2 Ａのフェードアウト時にＲ，Ｇ，Ｂ毎にＰＷＭ値を決定するためのフェードアウトテーブル２が設定されている。
【００４４】
ＬＥＤ４８1 Ａの各色のオン／オフ状態及び輝度の制御では、図８に示すように、期間１では、Ｒ，Ｇ，ＢのＬＥＤ毎に、図１０（ｂ）のフェードインテーブル２及び図１０（ａ）のＰＷＭ＿ＯＮ／ＯＦＦテーブルが参照され、同ＰＷＭ_ ＯＮ／ＯＦＦテーブルにオン（ＯＮ）状態が設定されていれば、第１の実施例と同様に、所定時間（Ｔｉｍｅｒ１）毎に同フェードインテーブル２のＰＷＭ値に基づいて輝度が設定される。また、ＰＷＭ＿ＯＮ／ＯＦＦテーブルにオフ（ＯＦＦ）状態が設定されていれば、フェードインテーブル２のＰＷＭ値によらず、ＰＷＭ値が０％（消灯状態）となる。期間２では、Ｒ，Ｇ，ＢのＬＥＤ毎に、ＰＷＭ＿ＯＮ／ＯＦＦテーブルが参照され、オン状態が設定されていれば、第１の実施例と同様に、ＬＥＤ４８1 Ａの輝度が期間時間（ＴｉｍｅｒＮ）で最大値に保持される。また、ＰＷＭ＿ＯＮ／ＯＦＦテーブルにオフ（ＯＦＦ）状態が設定されていれば、期間時間（ＴｉｍｅｒＮ）でＰＷＭ値が０％（消灯状態）となる。
【００４５】
期間３では、Ｒ，Ｇ，ＢのＬＥＤ毎に、上記期間１におけるフェードインテーブル２に代えて、図１０（ｃ）のフェードアウトテーブル２が参照され、輝度が設定される。期間４では、ＰＷＭ＿ＯＮ／ＯＦＦテーブルに関わらず、ＰＷＭ値が０％（消灯状態）となる。この後、上記期間１乃至期間４における制御が繰り返される。また、ＬＥＤ４８2 Ａの各色のオン／オフ状態及び輝度の制御では、図９に示すように、ＬＥＤ４８1 Ａよりも所定の遅延時間（Ｄｅｌａｙ）遅れて開始され、同様の制御が繰り返される。
【００４６】
この場合、制御部５０Ａでは、図１１に示すように、たとえば、ユーザが通話する操作を行ったときや、携帯電話機４０Ａが着呼動作を行うときなど、発光部４８Ａを点灯する要求があったとき（ステップＢ１）、図１０（ａ）のＰＷＭ＿ＯＮ／ＯＦＦテーブルを参照するための変数ｊが初期化（ｊ＝１）され、期間１における制御が開始される（ステップＢ２）。期間１では、所定時間（Ｔｉｍｅｒ１）毎にフェードインテーブル２及びＰＷＭ＿ＯＮ／ＯＦＦテーブルより算出したＰＷＭ値を設定する動作が所定時間（ＴｉｍｅｒＮ）まで繰り返される。すなわち、ステップＢ３においてＴｉｍｅｒＮがスタートし、ステップＢ４においてフェードインテーブル２を参照するための変数ｉが初期化（ｉ＝１）され、ステップＢ５においてＴｉｍｅｒ１がスタートし、ステップＢ６においてフェードインテーブル２に基づいてＰＷＭ値が設定される。
【００４７】
次に、ステップＢ７において、ＰＷＭ＿ＯＮ／ＯＦＦテーブルに対して、変数ｊを７で除した余り（ｊｍｏｄ７）に該当する欄が参照され、オフ状態の場合、該当するＰＷＭ値が０％とされる。この場合、ステップＢ６で設定されたＰＷＭ値に対し、ステップＢ７で該当するＰＷＭ値のみが０％に再設定される。ステップＢ８でＴｉｍｅｒ１がタイムアウトしたら、ステップＢ９でＴｉｍｅｒＮがタイムアウトするまで、ステップＢ１０で変数ｉが“１”だけインクリメントされる。ステップＢ９でＴｉｍｅｒＮがタイムアウトした場合、期間２に進む。
【００４８】
期間２では、ステップＢ１０でＴｉｍｅｒＮがスタートした後、ステップＢ１１でＴｉｍｅｒＮがタイムアウトするまで、期間１での最後のＰＷＭ値が保持される。ステップＢ１０でＴｉｍｅｒＮがタイムアウトした場合、期間３に進む。
【００４９】
期間３では、図１２に示すように、所定時間（Ｔｉｍｅｒ１）毎にフェードアウトテーブル２とＰＷＭ＿ＯＮ／ＯＦＦテーブルより算出したＰＷＭ値を設定する動作が所定時間（ＴｉｍｅｒＮ）まで繰り返される。すなわち、ステップＢ１３においてＴｉｍｅｒＮがスタートし、ステップＢ１４においてフェードアウトテーブル２を参照するための変数ｉが初期化（ｉ＝１）され、ステップＢ１５においてＴｉｍｅｒ１がスタートし、ステップＢ１６においてフェードアウトテーブル２に基づいてＰＷＭ値が設定される。次に、ステップＢ１７において、ＰＷＭ＿ＯＮ／ＯＦＦテーブルに対して、変数ｊを７で除した余り（ｊｍｏｄ７）に該当する欄が参照され、オフ状態の場合、該当するＰＷＭ値が０％とされる。この場合、ステップＢ１６で設定されたＰＷＭ値に対し、ステップＢ１７で該当するＰＷＭ値のみが０％に再設定される。ステップＢ１８でＴｉｍｅｒ１がタイムアウトしたら、ステップＢ１９でＴｉｍｅｒＮがタイムアウトするまで、ステップＢ２０で変数ｉが“１”だけインクリメントされる。ステップＢ１９でＴｉｍｅｒＮがタイムアウトした場合、期間４に進む。
【００５０】
期間４では、ステップＢ２１でＴｉｍｅｒＮをスタートした後、ステップＢ２２でＴｉｍｅｒＮがタイムアウトするまで、期間３での最後のＰＷＭ値が保持される。ステップＢ２２でＴｉｍｅｒＮがタイムアウトした場合、ステップＢ２３に進む。ステップＢ２３では、変数ｊが“１”インクリメントされ、ステップＢ２４において、ユーザが通話を終了する操作を行ったときや、携帯電話機４０Ａが着呼動作を終了するときなど、発光部４８Ａの点灯を終了する要求があったとき、発光部４８Ａの点灯が終了する。一方、ステップＢ２４において、発光部４８Ａの点灯を終了する要求がない場合、ステップＢ３へ戻り、上記期間１乃至期間４における制御が繰り返される。
【００５１】
以上のように、この第２の実施例では、３色ＬＥＤ４８1 Ａ，４８2 Ａを設けた場合でも、第１の実施例と同様に、３つの窓４９1 ，４９2 ，４９3 から漏出する光が一方から他方に向かって流れるように見せることができると共に、部品点数が削減され、かつ消費電流が低減される。また、３色ＬＥＤ４８1 Ａ，４８2 Ａが用いられているので、光の流れによる演出がさらに際立つ。
【００５２】
以上、この発明の実施例を図面により詳述してきたが、具体的な構成は同実施例に限られるものではなく、この発明の要旨を逸脱しない範囲の設計の変更などがあっても、この発明に含まれる。
たとえば、図３に示すフェードインテーブル１及びフェードアウトテーブル１の各ＰＷＭ値は、図中の値に限定されない。また、図１０（ａ）では、赤（Ｒ），緑（Ｇ），青（Ｂ）のオン／オフの組合わせが７通りとなっているが、７通りより少なくても良い。また、図１０（ｂ），（ｃ）に示すフェードインテーブル２及びフェードアウトテーブル２の各ＰＷＭ値は、図中の値に限定されない。また、携帯端末は、携帯電話機に限らず、たとえば、ＰＤＡ（Personal Digital Assistants ）などでも良い。また、携帯電話機４０，４０Ａの筐体は、折り畳み型に限らず、ストレート型やスライド型などでも良い。また、上記各実施例では、奇数番目の窓４９1 ，４９3 の近傍にＬＥＤ４８1 ，４８2 がそれぞれ配設されているが、さらに窓を設け、偶数番目の窓に対応して、ＬＥＤを１対１に配設しても、上記実施例とほぼ同様の作用、効果が得られる（請求項４又は請求項１３に対応）。また、窓は、多数ある場合には、環状に配設しても良い。
【産業上の利用可能性】
【００５３】
この発明は、携帯電話機に限らず、複数の窓部から漏出する光が一方から他方に向かって流れるように見える機能を有する電子機器全般に適用できる。
【図面の簡単な説明】
【００５４】
【図１】この発明の第１の実施例である携帯端末の要部の電気的構成を示すブロック図である。
【図２】制御部５０がＬＥＤ４８1 ，４８2 の輝度を制御する動作を説明する図である。
【図３】制御部５０がＬＥＤ４８1 ，４８2 の輝度を制御するときのＰＷＭ値を示す図である。
【図４】制御部５０の動作を説明するフローチャートである。
【図５】制御部５０の動作を説明するフローチャートである。
【図６】窓４９1 ，４９2 ，４９3 の光量の変化を示す模式図である。
【図７】この発明の第２の実施例である携帯電話機の電気的構成を示すブロック図である。
【図８】制御部５０ＡがＬＥＤ４８1 Ａの輝度を制御する動作を説明する図である。
【図９】制御部５０ＡがＬＥＤ４８2 Ａの輝度を制御する動作を説明する図である。
【図１０】制御部５０ＡがＬＥＤ４８1 Ａ，４８2 Ａの発光色を制御するときの各色のオン／オフ状態及び輝度を制御するときのＰＷＭ値を示す図である。
【図１１】制御部５０Ａの動作を説明するフローチャートである。
【図１２】制御部５０Ａの動作を説明するフローチャートである。
【図１３】従来の携帯電話機の外観図である。
【図１４】従来の携帯電話機の外観図である。
【符号の説明】
【００５５】
４０，４０Ａ      携帯電話機（携帯端末）
４８，４８Ａ      発光部
４８1 ，４８2       ＬＥＤ（発光ダイオード、発光体）
４８1 Ａ，４８2 Ａ      ３色ＬＥＤ（３色発光素子）
４９      窓部
４９1 ，４９2 ，４９3       窓
４９ｂ      筐体
５０，５０Ａ      制御部（発光体駆動制御部）
５０ａ      ＣＰＵ（中央処理装置、コンピュータ）
５０ｂ      ＲＯＭ（リード・オンリ・メモリ）
【図１】
0005521261.tif 000002
【図２】
0005521261.tif 000003
【図３】
0005521261.tif 000004
【図４】
0005521261.tif 000005
【図５】
0005521261.tif 000006
【図６】
0005521261.tif 000007
【図７】
0005521261.tif 000008
【図８】
0005521261.tif 000009
【図９】
0005521261.tif 000010
【図１０】
0005521261.tif 000011
【図１１】
0005521261.tif 000012
【図１２】
0005521261.tif 000013
【図１３】
0005521261.tif 000014
【図１４】
0005521261.tif 000015